(57)【要約】【課題】褥瘡の洗浄を行う洗浄装置において、洗浄液の噴射位置及び方向を簡単に調整できるようにし、褥瘡の状態に合わせて洗浄をより簡単、確実に行うことができるようにする。【解決手段】褥瘡洗浄装置は、洗浄液送給器と、ノズル装置（２）と、中空形状で患部へ向ける開口部（３２）を有する透明な洗浄カバー（３）を有している。ノズル装置（２）の噴射ノズル（２１）は洗浄カバー（３）に柔軟性を有するシリコンゴム製のパッキン（３０）を介し側部を貫通させて着脱可能に取り付けてある。噴射ノズル（２１）はパッキン（３０）により水密を保った状態で洗浄カバー（３）内において噴射方向を変えることができる。【選択図】　　　　図２
2004089276.tif 000002
【特許請求の範囲】
【請求項１】
中空形状で患部へ向ける開口部（３２）を有する一部または全部が透明な洗浄カバー（３）と、
洗浄液を噴射する噴射ノズル（２１）と、
洗浄液タンク（１０）と、
洗浄液タンク（１０）内の洗浄液を噴射ノズル（２１）に送る送液装置（１１）と、
を備えており、
噴射ノズル（２１）は洗浄カバー（３）の側部を貫通させて、洗浄カバー（３）内において噴射方向を変えることができるようにして設けてあることを特徴とする、
褥瘡洗浄装置。
【請求項２】
中空形状で患部へ向ける開口部（３２）を有する洗浄カバー（３ａ）と、
洗浄液を噴射する噴射ノズル（２１ａ）と、
洗浄液タンク（１０）と、
洗浄液タンク（１０）内の洗浄液を噴射ノズルに送る送液装置（１１）と、
を備えており、
噴射ノズル（２１ａ）は洗浄カバー（３ａ）の側部を貫通させて、洗浄カバー（３ａ）内において噴射方向を変えることができるようにして設けてあり、
洗浄カバー（３ａ）と噴射ノズル（２１ａ）は互いに着脱可能であり、洗浄カバー（３ａ）及び／または噴射ノズル（２１）は使い捨て交換可能であることを特徴とする、
褥瘡洗浄装置。
【請求項３】
噴射ノズル（２１）の一部または全部が曲げられており、洗浄液を患部へ向け角度自在に噴射できるようにしてあることを特徴とする、
請求項１または２記載の褥瘡洗浄装置。
【請求項４】
洗浄液タンク（１０）と送液装置（１１）が一体化されて携帯可能に設けられていることを特徴とする、
請求項１、２または３記載の褥瘡洗浄装置。
【請求項５】
洗浄カバー（３）には側部を通して患部を拡大して見ることができる手段を備えていることを特徴とする、
請求項１、２、３または４記載の褥瘡洗浄装置。
【請求項６】
洗浄液の温度を調整できる温度調整手段（１５）を備えていることを特徴とする、
請求項１、２、３、４または５記載の褥瘡洗浄装置。
【発明の詳細な説明】
【０００１】
【発明の属する技術分野】
本発明は褥瘡洗浄装置に関するものである。更に詳しくは、洗浄ノズルを可動型として、褥瘡の状態に合わせて洗浄をより簡単、確実に行うことができるものに関する。また、使用後の器具の洗浄や消毒の手間が軽減でき、褥瘡洗浄作業を短時間で効率よく行うことができるものに関する。また、コンパクトで取り扱い性に優れ、価格を安く提供できるものに関する。更には、洗浄をする側の人が例えば高齢者で視力が弱い場合でも洗浄作業時に褥瘡の患部の確認が十分にできるようにしたものに関する。
【０００２】
【従来技術】
高齢や病気によっていわゆる寝たきりとなり、自力で寝返りが困難となった患者は、例えば背中や腰等、身体の特定の箇所に継続的な圧迫を受けることによって体表面に褥瘡（じょくそう）ができることがある。
褥瘡は、早期に適切な手当を行って感染を防止し、進行をくいとめることが大切であり、治療の手段として患部の洗浄が欠かせない。
【０００３】
褥瘡の患部を洗浄する装置の一般的なものとしては、登録実用新案公報第３０３５３３７号に記載された褥瘡洗浄器がある。この洗浄器は、患部を覆うように当てる中空カバーと、中空カバーに設けてある洗浄ノズルと、洗浄ノズルに洗浄液を送るタンク及び送液装置と、洗浄汚液を回収するための汚液回収容器及び吸引ポンプとを備えている。
【０００４】
【発明が解決しようとする課題】
しかしながら、上記した従来公報に記載された褥瘡洗浄器には、次のような課題があった。
すなわち、中空カバーに設けてある洗浄ノズルは固定されており、中空カバーの開口側を患部を囲むように当てると、洗浄液の噴射位置は中空カバーを動かさないと調整できない。中空カバーを動かす場合も、調整できるのは位置だけで噴射角度を調整することは難しい。皮膚表面にえぐれたような傷を生じる褥瘡においては、従来のように正面側からの一方向のみの噴射では、えぐれた部分を覆っている体表面側の張り出し部が邪魔をして、患部を確実に洗浄することは難しかった。
【０００５】
また、褥瘡の患部を洗浄する作業は、感染（感染症）を防ぐために器具を完全に消毒した状態で使用しなければならない。このため、従来の褥瘡洗浄器において、中空カバー、汚液回収容器やチューブをはじめ特に洗浄汚液と触れる器具の洗浄及び消毒を完全に行う必要がある。しかし、これらの作業には大変な手間がかかり、他にも多くの責任の重い仕事をかかえる看護師あるいは一般家庭での介護者にとって負担が極めて大きい。
【０００６】
洗浄汚液を回収するための汚液回収容器及び吸引ポンプを含むこともあって、装置が全体に大掛かりで重量も重く、携帯はできないため、台車に載せて移動させていた。しかし、これでは嵩張って取り扱いが不便であるばかりでなく、特に一般家庭で患者の家族が介護する場合において、使用しないときの収納場所に困っていた。また、大掛かりであるため装置の価格が高く、特に一般家庭での導入には経済的負担が大きかった。
【０００７】
一般家庭で患者の家族が介護する場合、介護する側も高齢者であることも多いが、高齢者では視力も弱くなっているため褥瘡の患部が見にくく、洗浄もしにくい場合があった。特に、褥瘡の患部に中空カバーをかぶせてしまうと患部が見えなくなるので、洗浄液の噴射位置がずれてしまい、十分な洗浄ができないこともあった。
【０００８】
（本発明の目的）
本発明の目的は、褥瘡の洗浄を行う洗浄装置の洗浄ノズルを可動型として、洗浄液の噴射位置及び方向を簡単に調整できるようにし、褥瘡の状態に合わせて洗浄をより簡単、確実に行うことができるようにすることである。
【０００９】
本発明の他の目的は、褥瘡の洗浄を行う洗浄装置の使用後における器具の洗浄や消毒の手間を軽減することができ、作業者の負担を少なくして褥瘡洗浄作業を短時間で効率よく行うことができるようにすることである。
【００１０】
本発明の他の目的は、褥瘡の洗浄を行う洗浄装置をコンパクトにして取り扱い性に優れるようにし、安い価格で提供できるようにすることである。
【００１１】
本発明の他の目的は、褥瘡の洗浄を行う洗浄装置において、洗浄をする側の人が例えば高齢者で視力が弱い場合でも洗浄作業時に褥瘡の患部の確認が十分にできるようにして作業をしやすく、かつ確実にできるようにすることである。
【００１２】
【課題を解決するための手段】
上記目的を達成するために講じた本発明の手段は次のとおりである。
第１の発明にあっては、
中空形状で患部へ向ける開口部を有する一部または全部が透明な洗浄カバーと、
洗浄液を噴射する噴射ノズルと、
洗浄液タンクと、
洗浄液タンク内の洗浄液を噴射ノズルに送る送液装置と、
を備えており、
噴射ノズルは洗浄カバーの側部を貫通させて、洗浄カバー内において噴射方向を変えることができるようにして設けてあることを特徴とする、
褥瘡洗浄装置である。
【００１３】
第２の発明にあっては、
中空形状で患部へ向ける開口部を有する洗浄カバーと、
洗浄液を噴射する噴射ノズルと、
洗浄液タンクと、
洗浄液タンク内の洗浄液を噴射ノズルに送る送液装置と、
を備えており、
噴射ノズルは洗浄カバーの側部を貫通させて、洗浄カバー内において噴射方向を変えることができるようにして設けてあり、
洗浄カバーと噴射ノズルは互いに着脱可能であり、洗浄カバー及び／または噴射ノズルは使い捨て交換可能であることを特徴とする、
褥瘡洗浄装置である。
【００１４】
第３の発明にあっては、
噴射ノズルの一部または全部が曲げられており、洗浄液を患部へ向け角度自在に噴射できるようにしてあることを特徴とする、
第１または第２の発明に係る褥瘡洗浄装置である。
【００１５】
第４の発明にあっては、
洗浄液タンクと送液装置が一体化されて携帯可能に設けられていることを特徴とする、
第１、第２または第３の発明に係る褥瘡洗浄装置である。
【００１６】
第５の発明にあっては、
洗浄カバーには側部を通して患部を拡大して見ることができる手段を備えていることを特徴とする、
第１、第２、第３または第４の発明に係る褥瘡洗浄装置である。
【００１７】
第６の発明にあっては、
洗浄液の温度を調整できる温度調整手段を備えていることを特徴とする、
第１、第２、第３、第４または第５の発明に係る褥瘡洗浄装置である。
【００１８】
洗浄カバー内において噴射ノズルの噴射方向を変えることができるようにする手段は、例えば柔軟性を有するゴムやシリコーンゴム製のパッキンを介在させて水密性を維持しながらパッキンの柔軟性（弾性、変形性）を利用して噴射ノズルの方向を変えることができるようにするものであるが、その他水密性を維持しながら実質的にはルーズに貫通させてあるだけの構造等、この構造に限定はされない。
【００１９】
洗浄カバーは、半透明あるいは不透明であってもよいが、洗浄カバーの側部を通して患部を見ることができると、患部の洗浄が迅速かつ確実にできるので、一部または全部が透明であるのが望ましい。
【００２０】
使い捨て交換可能な洗浄カバーは、価格が安くできるものであればその素材は限定されるものではなく、例えば塩化ビニル等の合成樹脂、紙等である。また、内部を視認するための透明なプラスチックフィルムをこれらと組み合わせる等、複数の材料を組み合わせることもできる。更に、折り畳み（または展開）ができる構造であれば、嵩張らず収容できるのでより好ましい。
また、使い捨て交換可能な噴射ノズルは、洗浄カバーの場合と同様に価格が安くできるものであればその素材は限定されるものではなく、例えば金属、合成樹脂あるいはそれらを複合したもの等である。
【００２１】
洗浄カバーに設けてあり側部を通して患部を拡大して見ることができる手段は、例えば凸レンズ等のいわゆる拡大鏡であるが、これに限定はされない。
また、噴射ノズルを挿入する洗浄カバーの一部に例えば半球型の中空容器を設け、洗浄液が通る際に中空容器内に溜まることによりレンズ効果を果たすようにしてもよい。
洗浄液を患部へ向け角度自在に噴射できるように噴射ノズルの一部または全部が曲げられているものの曲げ構造は、噴射ノズルが湾曲するよう丸く形成されていてもよいし、所要の角度で折れ曲がるよう形成されていてもよい。
【００２２】
（作用）
本発明に係る褥瘡洗浄装置は、次のように作用する。
洗浄カバーの開口部を褥瘡の患部へ向け、例えば患部を囲むように開口縁部を皮膚表面に当てるかやや間隔をおいて配置し、送液装置を作動させて洗浄液タンク内の洗浄液を噴射ノズルへ送り、患部へ向けて噴射させる。
褥瘡の患部は通常窪んでいるので、窪んだ部分の側部にも洗浄液が十分に当たるように噴射ノズルの方向（噴射方向、噴射角度）を手で操作して自在に変えながら洗浄できるので、患部を満遍なく確実に洗浄することができる。
【００２３】
患部を洗浄した洗浄汚液は、患部の下方にあらかじめ敷いているタオル等の吸水体によって受けるようにする。つまり、従来のように洗浄汚液を汚液回収容器に回収するようなことはしない。なお、患者がおしめ（使い捨てのもの）を付けている場合は、このおしめを吸水体として利用することができる。
【００２４】
また、本発明に係る他の褥瘡洗浄装置は、次のように作用する。
すなわち、洗浄カバーと噴射ノズルは互いに着脱可能であり、洗浄カバー及び／または噴射ノズルは使い捨て交換可能であるので、従来の装置のように使用後の洗浄カバーや噴射ノズルを洗浄して完全消毒を行う作業がなくなり、患部の洗浄作業の手間を大幅に軽減できる。
【００２５】
噴射ノズルの一部または全部が曲げられており、洗浄液を患部へ向け角度自在に噴射できるようにしてあるものは、噴射ノズルが洗浄カバーの側部を貫通させて、洗浄カバー内において噴射方向を変えることができるようにして取り付けてあることとも相まって、患部へ更に大きい角度で斜めに噴射できるので、褥瘡の患部の状態に、より柔軟に対応できる。
【００２６】
洗浄液タンクと送液装置が一体化されて携帯可能に設けられているものは、コンパクトであるため取り扱い性に優れる。また、持ち運びが容易にできるため、患者が寝ているベッド上だけでなく、他の場所での洗浄も可能になる等、洗浄する場所に関する自由度も向上する。
【００２７】
洗浄カバーに側部を通して患部を拡大して見ることができる手段を備えているものは、洗浄をする側の人が例えば高齢者で視力が弱い場合でも、洗浄作業時に褥瘡の患部の確認が十分にできるので、洗浄作業がしやすく、かつ確実にできる。
【００２８】
洗浄液の温度を調整できる温度調整手段を備えているものは、例えば体温に近い温度に設定することによって、刺激や痛みが少ない洗浄が可能になる。また、適温に設定することにより、洗浄効果を高めることもできる。
【００２９】
【発明の実施の形態】
本発明を図面に示した実施の形態に基づき更に詳細に説明する。
図１は本発明に係る褥瘡洗浄装置の一実施の形態を示す説明図、
図２は噴射ノズルと洗浄カバーから構成される洗浄部の斜視説明図、
図３は噴射ノズルの他の実施例を示す洗浄部の斜視説明図である。
【００３０】
褥瘡洗浄装置Ａは、洗浄液を送給する洗浄液送給器１と、送給された洗浄液を褥瘡の患部に噴射するノズル装置２と、洗浄液が周りに飛散しないようにする洗浄カバー３により構成されている。
【００３１】
洗浄液送給器１は、洗浄液タンク１０を備えている。洗浄液タンク１０の上部側には送液装置であるポンプ１１とバッテリー１２が設けてある。洗浄液タンク１０の内部には洗浄液１９を加温するヒータ１５が設けてある。ヒータ１５及びその制御部により、洗浄液タンク１０内の洗浄液１９の温度は一定の温度範囲（例えば、人の体温に近い３７℃前後）に維持されるようになっている。
符号１３は、ポンプ１１で送られる洗浄液１９の圧力を調整する液圧調整ツマミであり、１４はハンドルである。
【００３２】
ポンプ１１から延長されている送液ホース２０の先端部にはノズル装置２が取り付けてある。ノズル装置２は噴射ノズル２１と流量調整器２２で構成されている。流量調整器２２は流量調整ツマミ２３を有し、流量調整ツマミ２３の調整によって噴射ノズル２１から噴射される洗浄液１９の流量を調整できる。
ステンレススチール製の噴射ノズル２１は、ほぼ中間部で折曲されており、先端側はやや角度をもって形成してある。本実施の形態では、折曲角度は約２０°であるが、これに限定するものではなく、適宜設定できる。
【００３３】
噴射ノズル２１には、洗浄カバー３が取り外し可能に装着してある。洗浄カバー３は全体が透明なプラスチックでカップ状に形成されている。洗浄カバー３の封鎖側（図２で奥側）は患部を拡大して見ることができるように凸レンズ状に形成されている（図では表れていない）。
洗浄カバー３の封鎖側の中央部には装着孔（図では見えない）が設けてあり、装着孔には挿通孔３１を有するパッキン３０が嵌め込まれて取り付けてある。パッキン３０はシリコンゴムでつくられており、柔軟性及び弾性を有している。洗浄カバー３は、パッキン３０の挿通孔３１を先端部から嵌め入れて噴射ノズル２１に装着してある。
【００３４】
パッキン３０は噴射ノズル２１にややきつく装着されるようになっており、水密が保たれる。噴射ノズル２１は、パッキン３０が上記性質によって比較的容易に変形させることができるので、図２に想像線で示したように水密を保ったまま噴射方向を自在に変えることができる。なお、噴射ノズル２１の先端部は、洗浄カバー３の開口部３２から突出しないようにやや奥側に設定されている。
【００３５】
（作　用）
図１ないし図２を参照して、本実施の形態に係る褥瘡洗浄装置Ａの作用を説明する。
褥瘡洗浄装置Ａは、洗浄液タンク１０とポンプ１１が一体化されて携帯可能に設けられており、コンパクトであるため取り扱い性に優れる。また、持ち運びが容易にできるため、患者が寝ているベッド上だけでなく、他の場所での洗浄も可能になる等、洗浄する場所に関する自由度も向上する。
【００３６】
洗浄に当たっては、まず洗浄カバー３の開口部３２を患者４の褥瘡の患部４０へ向け、患部４０とやや間隔をおいて配置し、ポンプ１１を作動させて洗浄液タンク１０内の洗浄液１９を噴射ノズル２１へ送り、患部４０へ向けて噴射させる。
洗浄液１９の温度は、ヒータ１５によって体温に近い温度に設定されているので、刺激や痛みが少ない洗浄が可能になり、洗浄効果も高めることができる。
【００３７】
また、流量調整ツマミ２３を調整すれば噴射ノズル２１から噴射される洗浄液の流量が調整可能であるので、例えば洗浄液の流量が多すぎて患者が著しい痛みを感じる場合等、流量を小さく調整して痛みがないようにして洗浄することができる。また、逆に痛みがあまりない場合は流量を多くして、短時間で洗浄することもできる。
【００３８】
褥瘡の患部４０は通常えぐれるように窪んでいるが、褥瘡洗浄装置Ａによれば窪んだ部分の側部４１にも洗浄液が十分に当たるように噴射ノズル２１の噴射方向を手で操作して自在に変えながら洗浄できるので、患部４０を満遍なく確実に洗浄することができる。
また、噴射ノズル２１の先部が曲げられているので、洗浄液１９を患部４０へ向け斜めに噴射でき、噴射ノズル２１を更に傾斜させれば患部４０へ更に大きい角度で斜めに噴射できるので、褥瘡の患部４０の状態に、より柔軟に対応できる。
【００３９】
なお、患部４０が見にくいときは、患部４０を洗浄カバー３の封鎖側の凸レンズ部分を通して見るようにすれば、患部が拡大されるので、例えば介護する側が高齢者で視力が弱い場合等でも作業がしやすく確実にできる。
【００４０】
患部４０を洗浄した洗浄汚液は、患者４の体表面を伝って流れ落ち、患部４０の下方にあらかじめ敷いてある吸水体（図示省略）によって受けられ、従来のように洗浄汚液を汚液回収容器に回収するようなことはしない。なお、患者がおしめ（図示省略）を付けている場合は、このおしめを吸水体として利用することができる。
【００４１】
患部４０の洗浄が終わったら、洗浄カバー３をノズル装置２から取り外す。洗浄カバー３は、装着部であるパッキン３０が比較的容易に変形するので、簡単に取り外すことができる。分離したノズル装置２と洗浄カバー３は洗浄し、消毒液に浸ける等して完全に消毒（殺菌）する。
【００４２】
なお、図３に示したものは噴射ノズル２１ｂが折曲されておらず、直線的に設けられたもので、他の構造は上記と同様である。このタイプのものも同様に噴射ノズル２１ｂの噴射方向の調整が可能である。
【００４３】
図４は使い捨て交換可能なタイプの洗浄カバーの構造を示す分解斜視説明図、
図５は洗浄カバーを展開した状態の平面図である。
【００４４】
図４、図５に示す洗浄カバー３ａは不透明な紙製（消毒済みのもの）である。洗浄カバー３ａは四枚の台形状の側面シート３３を連設した構造で、うち一枚の側面シート３３の短辺には正方形状の背面シート３４が連設してある。一端側の側面シート３３の端辺部及び背面シート３４の三辺部には接着剤（または粘着剤）を塗布した接着しろ３５が設けてある。なお、接着剤表面には図示はしていないが剥離シートが接着されており、これを剥がして接着する。各シート間と接着しろ間には折り目３６が付けてある。
また、背面シート３４の中央部には噴射ノズル２１ａに取り付けるための取付孔３７が設けてある。取付孔３７の孔縁部にはプラスチック製の補強リングシート３７０が設けられている。
【００４５】
洗浄カバー３ａを着脱可能に装着するノズル装置２ａは、直線状の噴射ノズル２１ａを有している。噴射ノズル２１ａと流量調整器２２の間には先部方向へ円錐形状に窄まった装着部２４が設けてある。なお、噴射ノズル２１ａは基端側にネジが切ってあり装着部２４に螺合して取り付けてあるので取り外しが可能である。装着部２４のほぼ中間部には、補強リングシート３７０で補強された取付孔３７を嵌め入れて水密を保ちながら簡易的に固定するための装着溝２５が全周にわたり設けてある。
【００４６】
そして、洗浄カバー３ａは図５に示す展開した状態から折り目３６を折って各接着しろ３５を所定の面に接着して図４に示すように組み立て、一端側に開口部３２を有する中空体を形成する。そして、取付孔３７をノズル装置２ａの装着溝２５にややきつく嵌め込んで簡易的に固定する。
【００４７】
（作用）
洗浄カバー３ａを使用した褥瘡洗浄装置は、上記褥瘡洗浄装置Ａとほぼ同様に使用されるが、洗浄カバー３ａは不透明体であるため透明体である上記洗浄カバー３のように側部を通して患部を見ながら作業するというような使い方はできないので、患部４０は患者４の体表面と洗浄カバー３ａの開口部３２縁部との間の隙間から見るようにする。
洗浄カバー３ａは噴射ノズル２ａに着脱可能であり、使用後の洗浄カバー３ａは取り外して廃棄できる。つまり、洗浄カバー３ａは使い捨て交換可能であるので、使用後の洗浄カバーを洗浄して完全消毒を行う作業が必要でなくなり、患部４０の洗浄作業の手間を大幅に軽減できる。また、噴射ノズル２１ａも取り外して交換可能であるので、洗浄カバー３ａと同様に使用後のものを洗浄して完全消毒を行う作業が必要でなくなる。
【００４８】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４９】
【発明の効果】
本発明は上記構成を備え、次の効果を有する。
（ａ）本発明に係る褥瘡洗浄装置によれば、通常えぐれるように窪んでいる褥瘡の患部を窪んだ部分の側部にも洗浄液が十分に当たるように噴射ノズルの噴射方向を手で操作して自在に変えながら洗浄できるので、患部を満遍なく確実に洗浄することができる。
【００５０】
（ｂ）洗浄カバーと噴射ノズルは着脱可能であり、洗浄カバー及び／または噴射ノズルは使い捨て交換可能である褥瘡洗浄装置は、従来の装置のように使用後の洗浄カバーや噴射ノズルを洗浄して完全消毒を行う作業がなくなり、患部の洗浄作業の手間を大幅に軽減できるので、他にも多くの責任の重い仕事をかかえる看護師あるいは一般家庭での介護者の負担を低減できる。
【００５１】
（ｃ）噴射ノズルの一部または全部が曲げられており、洗浄液を患部へ向け角度自在に噴射できるようにしてあるものは、噴射ノズルが洗浄カバーの側部を貫通させて、洗浄カバー内において噴射方向を変えることができるようにして取り付けてあることとも相まって、患部へ更に大きい角度で斜めに噴射できるので、褥瘡の患部の状態に、より柔軟に対応できる。
【００５２】
（ｄ）洗浄液タンクと送液装置が一体化されて携帯可能に設けられているものは、コンパクトであるため取り扱い性に優れ、価格も安く提供できる。また、持ち運びが容易にできるため、患者が寝ているベッド上だけでなく、他の場所での洗浄も可能になる等、洗浄する場所に関する自由度も向上する。
【００５３】
（ｅ）洗浄カバーに側部を通して患部を拡大して見ることができる手段を備えているものは、洗浄をする側の人が例えば高齢者で視力が弱い場合でも、洗浄作業時に褥瘡の患部の確認が十分にできるので、洗浄作業がしやすく、かつ確実にできる。
【００５４】
（ｇ）洗浄液の温度を調整できる温度調整手段を備えているものは、例えば体温に近い温度に設定することによって、刺激や痛みが少ない洗浄が可能になる。また、適温に設定することにより、洗浄効果を高めることもできる。
【図面の簡単な説明】
【図１】本発明に係る褥瘡洗浄装置の一実施の形態を示す説明図。
【図２】噴射ノズルと洗浄カバーから構成される洗浄部の斜視説明図。
【図３】噴射ノズルの他の実施例を示す洗浄部の斜視説明図。
【図４】使い捨て交換可能なタイプの洗浄カバーの構造を示す分解斜視説明図。
【図５】洗浄カバーを展開した状態の平面図。
【符号の説明】
Ａ　褥瘡洗浄装置
１　洗浄液送給器
２　ノズル装置
３　洗浄カバー
１０　洗浄液タンク
１１　ポンプ
１２　バッテリー
１３　液圧調整ツマミ
１４　ハンドル
１５　ヒータ
１９　洗浄液
２０　送液ホース
２１、２１ｂ　噴射ノズル
２２　流量調整器
２３　流量調整ツマミ
３０　パッキン
３１　挿通孔
３ａ　洗浄カバー
３３　側面シート
３４　背面シート
３５　接着しろ
３６　折り目
３７　取付孔
３７０　補強リングシート
２ａ　ノズル装置
２１ａ　噴射ノズル
２４　装着部
２５　装着溝
４　患者
４０　患部
【図１】
2004089276.tif 000003
【図２】
2004089276.tif 000004
【図３】
2004089276.tif 000005
【図４】
2004089276.tif 000006
【図５】
2004089276.tif 000007